(57)【要約】【課題】１種類の装置で取付形態を選択できるようにした空調機を提供する。【解決手段】空調機１は、温風および送風等を吹き出す空調ユニット２を備えた本体ケース３の前面にフロントパネル４が取り付けられる。本体ケース３は前面にフランジ部９を備え、フランジ部９に、本体ケース３の側面を覆う化粧パネル５が着脱自在に取り付けられる。フランジ部９は、空調機１を壁面の開口部に埋め込む取付形態では、本体取付部として機能する。これにより、化粧パネル５の装着の有無で、１種類の空調機１が、壁面に埋め込む取付形態と、壁面に掛ける取付形態の双方に使用できる。【選択図】        図１
2006084165.tif 000002
【特許請求の範囲】
【請求項１】
空気を吸い込み、送風あるいは温風を吹き出す空調部と、
前記空調部を収容する本体ケースと、
前記本体ケースの前面を覆うフロントパネルを備え、壁面に固定される空調機において、
前記本体ケースの側面を覆う化粧パネルと、
前記化粧パネルを前記本体ケースに着脱自在に固定するパネル取付部と、
前記化粧パネルを装着した前記本体ケースを、前記壁面に固定する第１の本体取付部と、
前記化粧パネルを非装着とした前記本体ケースを、前記壁面に形成した開口部に固定する第２の本体取付部とを備えた
ことを特徴とする空調機。
【請求項２】
前記化粧パネルを非装着とすると、前記パネル取付部が前記第２の本体取付部として機能する
ことを特徴とする請求項１記載の空調機。
【請求項３】
前記本体ケースの前面外周に、前記本体ケースより突出したフランジ部を備え、前記フランジ部で前記パネル取付部と前記第２の本体取付部が構成される
ことを特徴とする請求項２記載の空調機。
【請求項４】
前記化粧パネルと前記フロントパネルの位置決めを行う位置決め部材を備えた
ことを特徴とする請求項１，２または３記載の空調機。
【請求項５】
前記化粧パネルと前記本体ケースの位置決めを行う位置決め部材を備えた
ことを特徴とする請求項１，２または３記載の空調機。
【請求項６】
前記化粧パネルと前記フロントパネルの位置決めを行うと共に、前記化粧パネルと前記本体ケースの位置決めを行う位置決め部材を備えた
ことを特徴とする請求項１，２または３記載の空調機。
【請求項７】
正イオンと負イオンを発生するイオン発生器を前記空調部に備えた
ことを特徴とする請求項１，２，３，４，５または６記載の空調機。
【請求項８】
前記空調部を制御して、送風を吹き出す涼風モードと、温風を吹き出す暖房モードを行う制御部を備えた
ことを特徴とする請求項１，２，３，４，５，６または７記載の空調機。
【請求項９】
前記制御部は、前記イオン発生器を制御して、正イオンと負イオンの双方を発生させるモードと、負イオンを発生させるモードを、前記涼風モード運転時と前記暖房モード運転時に選択的に行う
ことを特徴とする請求項８記載の空調機。
【発明の詳細な説明】
【技術分野】
【０００１】
本発明は、洗面所等の壁面に取り付けられ、送風および暖房を行う空調機に関し、特に、取付形態を選択できるようにした空調機に関するものである。
【背景技術】
【０００２】
従来より、洗面所等の壁面に取り付けられ、送風や温風等を吹き出して、洗面所内の温度調整等を行う空調機が提案されている。このような空調機としては、壁面に開口部を形成し、空調機の本体の一部を開口部に嵌めて、空調機を壁面に埋め込む取付形態が提案されている（例えば、特許文献１参照）。
【０００３】
また、壁面に開口部を形成することなく、壁面の表面に空調機を掛けるような形態で取り付ける取付形態も提案されている（例えば、特許文献２参照）。
【０００４】
空調機を壁面に埋め込む取付形態では、空調機の壁面からの突出量が少なくなるので、圧迫感なく空調機を設置できる。これに対して、空調機を壁面に掛ける取付形態では、壁面に開口部を形成する必要がないので、施工が容易であり、また、壁面の裏側に空調機を埋め込む隙間が無い構造であっても、空調機の設置が可能となる。
【０００５】
このため、空調機を設置する場合は、顧客の要望や建物の構造等に応じて、空調機を壁面に埋め込む取付形態か、空調機を壁面に掛ける取付形態が選択されていた。
【０００６】
【特許文献１】実開平６−２１６００号公報
【特許文献２】特開２００４−５３１９７号公報
【発明の開示】
【発明が解決しようとする課題】
【０００７】
しかし、従来の空調機は、壁面に埋め込む取付形態の空調機と、壁面に掛ける取付形態の空調機で構成が異なっていたので、顧客の要望等に応じるためには、２種類の空調機を製造しなければならず、製品コストが上がるという問題があった。
【０００８】
本発明は、このような課題を解決するためになされたもので、１種類の装置で取付形態を選択できるようにした空調機を提供することを目的とする。
【課題を解決するための手段】
【０００９】
上述した課題を解決するため、請求項１の発明は、空気を吸い込み、送風あるいは温風を吹き出す空調部と、空調部を収容する本体ケースと、本体ケースの前面を覆うフロントパネルを備え、壁面に固定される空調機において、本体ケースの側面を覆う化粧パネルと、化粧パネルを本体ケースに着脱自在に固定するパネル取付部と、化粧パネルを装着した本体ケースを、壁面に固定する第１の本体取付部と、化粧パネルを非装着とした本体ケースを、壁面に形成した開口部に固定する第２の本体取付部とを備えたことを特徴とする。
【００１０】
請求項２の発明は、化粧パネルを非装着とすると、パネル取付部が第２の本体取付部として機能することを特徴とする。
【００１１】
請求項３の発明は、本体ケースの前面外周に、本体ケースより突出したフランジ部を備え、フランジ部でパネル取付部と第２の本体取付部が構成されることを特徴とする。
【００１２】
請求項４の発明は、化粧パネルとフロントパネルの位置決めを行う位置決め部材を備えたことを特徴とする。
【００１３】
請求項５の発明は、化粧パネルと本体ケースの位置決めを行う位置決め部材を備えたことを特徴とする。
【００１４】
請求項６の発明は、化粧パネルとフロントパネルの位置決めを行うと共に、化粧パネルと本体ケースの位置決めを行う位置決め部材を備えたことを特徴とする。
【００１５】
請求項７の発明は、正イオンと負イオンを発生するイオン発生器を空調部に備えたことを特徴とする。
【００１６】
請求項８の発明は、空調部を制御して、送風を吹き出す涼風モードと、温風を吹き出す暖房モードを行う制御部を備えたことを特徴とする。
【００１７】
請求項９の発明は、制御部は、イオン発生器を制御して、正イオンと負イオンの双方を発生させるモードと、負イオンを発生させるモードを、涼風モード運転時と暖房モード運転時に選択的に行うことを特徴とする。
【発明の効果】
【００１８】
本発明に係る空調機によれば、パネル取付部によって化粧パネルが本体ケースに固定されると、本体ケースの側面が化粧パネルで覆われる。これにより、フロントパネルと化粧パネルで空調機の外装が構成され、第１の取付部によって壁面に固定されると、空調機は壁面に掛けた形態で取り付けられる。
【００１９】
化粧パネルが非装着であると、フロントパネルの後側に本体ケースと第２の本体取付部が露出する。これにより、壁面に形成した開口部に本体ケースを嵌め、第２の本体取付部によって壁面の開口部に固定されると、空調機はフロントパネルが露出して、壁面に埋め込まれた形態で取り付けられる。
【００２０】
このように、化粧パネルの装着の有無で、壁面に掛ける取付形態と壁面に埋め込む取付形態を選択できるので、一種類の空調機で２種類の取付形態の中から所望の取付形態を選択でき、取付形態に応じて構造の異なる空調機を製造しなくて済むことから、製品コストを抑えることができる。
【発明を実施するための最良の形態】
【００２１】
以下、図面を参照して本発明の空調機の実施の形態について説明する。
【００２２】
＜空調機の構成の概要＞
図１は本実施の形態の空調機の構成の一例を示す分解斜視図、図２は本実施の形態の空調機の構成の一例を示す斜視図、図３は本実施の形態の空調機の設置例の概要を示す斜視図である。
【００２３】
本実施の形態の空調機１は、図３に示すように、例えば洗面所５１の壁面５２に設置される。空調機１は、図１に示すように、温風および送風等を吹き出す空調ユニット２を備えた本体ケース３の前面にフロントパネル４が取り付けられる。
【００２４】
そして、本体ケース３の側面を覆う化粧パネル５を着脱自在に備えて、図２に示すように、化粧パネル５の装着の有無で、１種類の空調機１を、壁面５２に埋め込む取付形態と、壁面５２に掛ける取付形態の双方に使用できるようにしたものである。
【００２５】
＜空調機の構成の詳細＞
図４は本実施の形態の空調機１の内部構成を示す正面図、図５は図４のＡ−Ａ線断面図、図６は図４のＢ−Ｂ線断面図であり、図１〜図６を参照して空調機１の構成の詳細を説明する。ここで、図４はフロントパネル４を取り外した状態、図５，図６はフロントパネル４を取り付けた状態を示す。
【００２６】
本体ケース３は、例えば金属板で構成され、背面板６と４枚の側面板７を備えた箱状で、前面に開口部８が形成される。また、本体ケース３は開口部８の外周に側面板７から連続してフランジ部９が形成される。
【００２７】
フランジ部９は複数の取付穴９ａを備える。取付穴９ａは、空調機１を壁面５２に埋め込む取付形態では第２の本体取付部として機能し、空調機１を壁面５２に掛ける取付形態ではパネル取付部として機能する。
【００２８】
すなわち、空調機１を壁面５２に埋め込む取付形態では、後述するようにフランジ部９の取付穴９ａを使用して、ネジ１０ａにより空調機１が壁面５２の開口部に固定される。また、空調機１を壁面５２に掛ける取付形態では、取付穴９ａを使用して、ネジ１０ｂにより化粧パネル５がフランジ部９に固定される。
【００２９】
本体ケース３は、背面板６にシャーシ１１が取り付けられる。シャーシ１１は例えばプラスチック材で構成され、図６に示すように、背面板６まで貫通した本体取付穴１１ａを備える。本体取付穴１１ａは第１の取付部を構成し、空調機１を壁面５２に掛ける取付形態では、後述するように、本体取付穴１１ａを使用して、ネジ１２により空調機１が壁面に固定される。
【００３０】
また、シャーシ１１は、本体ケース３にフロントパネル４を固定するフロントパネル取付部１１ｂを備える。更に、回路基板１３の取付部を備える。
【００３１】
空調ユニット２は空調部を構成し、ファン部１４とヒータ１５とルーバー１６を備え、シャーシ１１に取り付けられる。
【００３２】
ファン部１４はシロッコファンで、ファンモータ１４ａに回転駆動される多翼の羽根車（ファン）１７と、風路を形成するファンケース１８を備える。ファンケース１８は、羽根車１７の軸方向に沿った面を開口して形成される吸込口１８ａと、羽根車１７の接線方向に沿った面を開口して形成される吹出口１８ｂとを備える。
【００３３】
ヒータ１５は、ファンケース１８の吹出口１８ｂに取り付けられ、本例では、図５に示すように、第１のＰＴＣヒータ１５ａと第２のＰＴＣヒータ１５ｂを左右に並べて構成される。第１のＰＴＣヒータ１５ａは、ファンケース１８の吹出口１８ｂに接続された第１の風路１９ａに備えられ、第２のＰＴＣヒータ１５ｂは、吹出口１８ｂに接続された第２の風路１９ｂに備えられる。
【００３４】
ここで、第１のＰＴＣヒータ１５ａと第２のＰＴＣヒータ１５ｂは、正極性のサーミスター特性を有するヒータで、温度が上昇すると抵抗値が上昇し、これにより消費する電流が制御されると共に温度上昇が緩やかになり、その後、消費電流および発熱部の温度が、飽和領域に達して安定していくものであり、自己温度制御を行う。
【００３５】
このように、ＰＴＣヒータでは、ヒータの温度が上昇すると消費電流が低くなり、その後一定温度の飽和領域に達すると、消費電流が低い値で安定する特性があるために、これを用いることにより、消費電力の節約ができるとともに、発熱体の温度の異常上昇を防止可能であるという利点がある。
【００３６】
ルーバー１６は、ヒータ１５を介してファンケース１８の吹出口１８ｂに取り付けられる。ルーバー１６は、図６に示すように、ヒータ１５を介してファンケース１８の吹出口１８ｂと接続されるハウジング２０ａと、ハウジング２０ａに軸支され、上下方向に回動して空気の吹き出し方向を切り換える吹出口２０ｂと、吹出口２０ｂの内側に回転可能に取り付けられ、左右方向に空気の吹き出し方向を切り換える複数の風向板２０ｃを備える。
【００３７】
フロントパネル４は、本体ケース３の開口部８に取り付けられる。フロントパネル４は、空調ユニット２のルーバー１６が露出する開口部２１ａと、ファン部１４の吸込口１８ａと対向する部位に形成される吸込口２１ｂと、吸込口２１ｂの裏面側にフィルタ４ａを着脱自在に取り付けるフィルタ取付部２１ｃと、本体ケース３のフロントパネル取付部１１ｂにフロントパネル４を取り付けるためのフロントパネル取付穴２１ｄを備える。
【００３８】
化粧パネル５は、本体ケース３が嵌る開口部５ａを有して、本体ケース３の周囲四側面を覆う枠状で、化粧パネル５の外形は、フロントパネル４の外形と略同形に構成される。
【００３９】
また、化粧パネル５は前面にフランジ受け面２２を備え、フランジ受け面２２にネジ穴２２ａと位置決め突起２２ｂを備える。更に、化粧パネル５は裏面に補強リブ２３を備える。
【００４０】
ネジ穴２２ａは、本体ケース３のフランジ部９の取付穴９ａに対応した箇所に形成される。なお、ネジ穴２２ａは取付穴９ａに合わせて一対一で配置しても良いし、所定の取付穴９ａに合わせて配置しても良い。
【００４１】
位置決め突起２２ｂは位置決め部材を構成し、例えばフランジ受け面２２の辺部に沿った直線状のリブが、フランジ受け面２２に突出形成される。本例では、位置決め突起２２ｂはフランジ受け面２２の左右の辺部にそれぞれ２個ずつ形成される。
【００４２】
本体ケース３に化粧パネル５を取り付けるため、フランジ受け面２２に本体ケース３のフランジ部９が載置されると、位置決め突起２２ｂの内周側にフランジ部９の外周側が当接して、本体ケース３に対する化粧パネル５の位置決めが行われる。
【００４３】
また、化粧パネル５が取り付けられた本体ケース３にフロントパネル４を取り付けると、位置決め突起２２ｂの外周側にフロントパネル４の内周面が当接して、化粧パネル５に対するフロントパネル４の位置決めが行われる。
【００４４】
このように、本体ケース３のフランジ部９の外形は、フロントパネル４および化粧パネル５の外形より小さく、本体ケース３にフロントパネル４を取り付けると、フランジ部９はフロントパネル４の内側に入り、フロントパネル４の側面には露出しない。
【００４５】
なお  位置決め突起２２ｂの配置および形状は上記例に限るものではなく、例えば、フランジ受け面２２の４辺のそれぞれに位置決め突起２２ｂを形成しても良い。また、フランジ受け面２２の各角部に、本体ケース３のフランジ部９の角部の形状およびフロントパネル４の角部の形状に合わせた略Ｌ字型の位置決め突起２２ｂを形成してもよい。
【００４６】
補強リブ２３は、化粧パネル５の内面から内向きに突出する板状部材を複数箇所に形成したもので、補強リブ２３が本体ケース３の側面板７に当接して、化粧パネル５の変形を防ぐ。
【００４７】
なお、空調機１にはイオン発生器２４を備えても良い。イオン発生器２４はファン部１４のファンケース１８に取り付けられ、イオンを発生する図示しない放電面がファンケース１８の内部に露出している。
【００４８】
イオン発生器２４は、正イオンと負イオンの両方あるいは負イオンを発生する。正イオンと負イオンの発生の原理は、誘電体が介在するように対向させた一対の電極間に家庭用交流電源等から取った交流電圧を昇圧して印加することにより、コロナ放電を起こし、空気中の酸素ないしは水分が電離によりエネルギーを受けてイオン化し、Ｈ+（Ｈ2Ｏ）m（ｍは任意の自然数）と、Ｏ2-（Ｈ2Ｏ）n（ｎは任意の自然数）が主体のイオンを放出するものである。
【００４９】
これらＨ+（Ｈ2Ｏ）mおよびＯ2-（Ｈ2Ｏ）nは、浮遊菌の表面に付着し、化学反応して活性種であるＨ2Ｏ2または・ＯＨを生成する。Ｈ2Ｏ2または・ＯＨは、極めて強力な活性を示すため、これらにより、空気中の浮遊細菌を取り囲んで不活化することができる。ここで、・ＯＨは活性種の１種であり、ラジカルのＯＨを示している。
【００５０】
これにより、略同数の正イオンと負イオンを発生させる正負イオン発生モードを設けて、略同数の正イオンと負イオンを含む空気を送風することで、空気中の浮遊細菌を不活化して、カビの発生を抑えることができる。
【００５１】
また、負イオンのみもしくは負イオンを正イオンより多く発生させるような負イオンモードを設けて、負イオンを含む空気を送風することで、精神を安定させ、呼吸器の機能を高める等のリラックス効果があると言われている。
【００５２】
図７は本実施の形態の空調機１の制御系の一例を示す機能ブロック図である。空調機１は、ＣＰＵ等で構成される制御部３１を図１等に示す回路基板１３に備え、制御部３１に、操作部３２と、ファンモータ１４ａと、第１のＰＴＣヒータ１５ａおよび第２のＰＴＣヒータ１５ｂと、イオン発生器２４等が接続される。
【００５３】
操作部３２は、例えば空調機１本体と独立したリモートコントロール装置で、図示しない表示部と、各種操作ボタン等を備え、図３に示すように、空調機１が設置される洗面所５１の壁面５２に取り付けられる。
【００５４】
制御部３１は、操作部３２での設定や、図示しないセンサのフィードバックに応じ、ファンモータ１４ａの回転駆動を制御して、風量の制御を行う。また、第１のＰＴＣヒータ１５ａおよび第２のＰＴＣヒータ１５ｂの通電を制御して、吹き出される風の温度制御を行う。更に、イオン発生器２４を制御して、イオンの発生の制御を行う。
【００５５】
＜空調機の取付形態＞
図８は空調機１の取付形態例を示す断面図で、図８（ａ）は壁面５２に掛ける取付形態、図８（ｂ）は壁面５２に埋め込む取付形態を示す。また、図９は空調機１を壁面５２に掛ける取付形態を示す斜視図、図１０は空調機１を壁面５２に埋め込む取付形態を示す斜視図である。
【００５６】
まず、空調機１を壁面５２に掛ける取付形態について説明すると、空調機１を壁面５２に掛ける取付形態で使用する場合には、本体ケース３に化粧パネル５を取り付ける。
【００５７】
すなわち、化粧パネル５の開口部５ａから、フロントパネル４を取り付けていない本体ケース３を嵌める。化粧パネル５の開口部５ａに本体ケース３を嵌めると、化粧パネル５のフランジ受け面２２に本体ケース３のフランジ部９が載置され、位置決め突起２２ｂの内周側にフランジ部９の外周側が当接する。
【００５８】
これにより、本体ケース３に対する化粧パネル５の位置決めが行われ、フランジ部９の取付穴９ａと、フランジ受け面２２のネジ穴２２ａの位置決めが行われ、ネジ１０ｂを取付穴９ａを通してネジ穴２２ａに締結することで、本体ケース３に化粧パネル５が固定される。
【００５９】
化粧パネル５が取り付けられた本体ケース３は、図９に二点鎖線で示す壁面５２の所定の位置に位置決めされ、ネジ１２を本体取付穴１１ａに通して壁面５２に締結することで、本体ケース３が壁面５２に固定される。
【００６０】
壁面５２に固定された本体ケース３は、開口部８にフロントパネル４が取り付けられる。化粧パネル５が取り付けられた本体ケース３の開口部８にフロントパネル４を嵌めると、化粧パネル５の位置決め突起２２ｂの外周側にフロントパネル４の内周面が当接して、化粧パネル５に対するフロントパネル４の位置決めが行われる。そして、ネジ２５をフロントパネル取付穴２１ｄを通してフロントパネル取付部１１ｂに締結することで、フロントパネル４が本体ケース３に固定される。
【００６１】
フロントパネル４が本体ケース３に固定されると、ルーバー１６がフロントパネル４の開口部２１ａから露出する。また、ファン部１４の吸込口１８ａとフロントパネル４の吸込口２１ｂが対向する。
【００６２】
以上により、図８（ａ）に示すように、空調機１は壁面５２に掛けた形態で取り付けられる。空調機１を壁面５２に掛ける取付形態では、本体ケース３の側面に化粧パネル５が取り付けられているので、デザイン性を損なうことは無い。
【００６３】
また、図１１はフロントパネル４および化粧パネル５の取付形態を示す要部断面図である。化粧パネル５を本体ケース３に取り付け、フロントパネル４を本体ケース３に取り付けると、フロントパネル４と化粧パネル５は、位置決め突起２２ｂによって位置決めが行われているので、フロントパネル４と化粧パネル５の間で位置ずれが発生せず、見栄えが良い。
【００６４】
次に、空調機１を壁面５２に埋め込む取付形態について説明すると、空調機１を壁面５２に埋め込む取付形態で使用する場合には、本体ケース３に化粧パネル５を取り付けない。
【００６５】
図１０に示すように、壁面５２には所定の位置に本体ケース３を嵌める開口部５２ａが形成される。そして、化粧パネル５およびフロントパネル４を取り付けていない本体ケース３を壁面５２の開口部５２ａに嵌めて、フランジ部９を壁面５２に当接させ、ネジ１０ａをフランジ部９の取付穴９ａに通して壁面５２に締結することで、本体ケース３が壁面５２の開口部５２ａに固定される。
【００６６】
壁面５２の開口部５２ａに固定された本体ケース３は、開口部８にフロントパネル４が取り付けられる。本体ケース３に対してフロントパネル４の位置決めを行い、ネジ２５をフロントパネル取付穴２１ｄを通してフロントパネル取付部１１ｂに締結することで、フロントパネル４が本体ケース３に固定される。
【００６７】
フロントパネル４が本体ケース３に固定されると、ルーバー１６がフロントパネル４の開口部２１ａから露出する。また、ファン部１４の吸込口１８ａとフロントパネル４の吸込口２１ｂが対向する。
【００６８】
以上により、図８（ｂ）に示すように、空調機１はフロントパネル４が壁面５２から露出し、壁面５２に埋め込まれた形態で取り付けられる。空調機１を壁面５２に埋め込む取付形態では、壁面５２から突出するのはフロントパネル４の部分で、突出高が抑えられることから、圧迫感が無く、デザイン性に優れる。
【００６９】
＜空調機の動作＞
次に、空調機１の動作の概要について説明する。空調機１は、送風を吹き出す涼風モードと、温風を吹き出す暖房モードを備える。また、イオンを発生するイオン発生モードを備え、イオン発生モードには、正イオンと負イオンの双方を発生する正負イオンモードと、負イオンを発生する負イオンモードを備える。
【００７０】
これら運転モードは、利用者が図３および図７に示す操作部３２を操作することで選択され、図７に示す制御部３１は、操作部３２での操作に応じてファンモータ１４ａ、第１のＰＴＣヒータ１５ａ、第２のＰＴＣヒータ１５ｂ、およびイオン発生器２４を制御する。
【００７１】
例えば、涼風モードでは、制御部３１はファンモータ１４ａを駆動する。ファンモータ１４ａが駆動されると、図５に示す羽根車１７が回転することで、図１等に示すフロントパネル４の吸込口２１ｂを通して、ファン部１４の吸込口１８ａから室内の空気が吸い込まれ、ファンケース１８によってルーバー１６へと空気が流れて、ルーバー１６から送風が吹き出される。
【００７２】
涼風モードでは、第１のＰＴＣヒータ１５ａおよび第２のＰＴＣヒータ１５ｂに通電を行わないことで、ファン部１４から吹き出した空気は加温されず、室内の温度に応じた送風がルーバー１６から吹き出される。従って、涼風モードは夏場等に空調機１を扇風機として使用できる。
【００７３】
暖房モードでは、制御部３１はファンモータ１４ａと第１のＰＴＣヒータ１５ａおよび第２のＰＴＣヒータ１５ｂを駆動する。ファンモータ１４ａが駆動されると、図５に示す羽根車１７が回転することで、図１等に示すフロントパネル４の吸込口２１ｂを通して、ファン部１４の吸込口１８ａから室内の空気が吸い込まれ、ファンケース１８によってルーバー１６へと空気が流れる。
【００７４】
第１のＰＴＣヒータ１５ａおよび第２のＰＴＣヒータ１５ｂが駆動され通電されると、ファン部１４から吹き出した空気が加温され、ルーバー１６から温風が吹き出される。従って、暖房モードは冬場等に空調機１を洗面所を暖める暖房機として使用できる。
【００７５】
なお、暖房モードでは、第１のＰＴＣヒータ１５ａと第２のＰＴＣヒータ１５ｂの双方を駆動する運転モードと、第１のＰＴＣヒータ１５ａと第２のＰＴＣヒータ１５ｂのいずれかを駆動する運転モード等を切り換えることで、温風の温度制御が可能で、室内の温度を制御することが可能となる。
【００７６】
イオン発生モードで、正イオンと負イオンの双方を発生する正負イオンモードの場合、例えば、涼風モードと連動するような制御が行われる。すなわち、制御部３１はファンモータ１４ａとイオン発生器２４を駆動する。
【００７７】
ファンモータ１４ａが駆動されると、上述したように、フロントパネル４の吸込口２１ｂを通してファン部１４の吸込口１８ａから室内の空気が吸い込まれ、ファンケース１８によってルーバー１６へと空気が流れる。
【００７８】
イオン発生器２４が駆動されると、ここでは略同数の正イオンと負イオンの双方がファンケース１８内に放出される。これにより、ファン部１４による空気の流れによって、ルーバー１６から正イオンと負イオンの双方を含む送風が吹き出される。
【００７９】
従って、正イオンと負イオンの双方を発生させるイオン発生モードでは、空気中の浮遊細菌を不活化して、カビの発生を抑えることができる。また、涼風モードと組み合わせることで、部屋内の湿度が下がり、カビの防止により効果的である。
【００８０】
イオン発生モードで、負イオンを発生する負イオンモードの場合、例えば、暖房モードと連動するような制御が行われる。すなわち、制御部３１はファンモータ１４ａと第１のＰＴＣヒータ１５ａと第２のＰＴＣヒータ１５ｂおよびイオン発生器２４を駆動する。
【００８１】
ファンモータ１４ａが駆動されると、上述したように、フロントパネル４の吸込口２１ｂを通してファン部１４の吸込口１８ａから室内の空気が吸い込まれ、ファンケース１８によってルーバー１６へと空気が流れる。
【００８２】
イオン発生器２４が駆動されると、ここでは負イオンがファンケース１８内に放出される。また、第１のＰＴＣヒータ１５ａおよび第２のＰＴＣヒータ１５ｂが駆動され通電されると、ファン部１４から吹き出した空気が加温される。これにより、ファン部１４による空気の流れによって、ルーバー１６から負イオンを含む温風が吹き出される。
【００８３】
従って、負イオンを発生させるイオン発生モードではリラックス効果が得られ、また、暖房モードと組み合わせることで、部屋内の温度が快適な温度に上がり、よりリラックス効果が得られる。なお、負イオンを発生させるイオン発生モードでは、負イオンのみを発生させても良いし、正イオンに対して負イオンを多く発生させても良い。
【００８４】
なお、本例の空調機１は図３に示す洗面所５２に設置される例で説明したが、浴室５３の壁面に設置される構成のものでも良い。
【産業上の利用可能性】
【００８５】
本発明は、洗面所や浴室等の壁面に設置され、送風と温風を吹き出す空調機に適用される。
【図面の簡単な説明】
【００８６】
【図１】本実施の形態の空調機の構成の一例を示す分解斜視図である。
【図２】本実施の形態の空調機の構成の一例を示す斜視図である。
【図３】本実施の形態の空調機の設置例の概要を示す斜視図である。
【図４】本実施の形態の空調機１の内部構成を示す正面図である。
【図５】図４のＡ−Ａ線断面図である。
【図６】図４のＢ−Ｂ線断面図である。
【図７】本実施の形態の空調機１の制御系の一例を示す機能ブロック図である。
【図８】空調機１の取付形態例を示す断面図で、図８（ａ）は壁面５２に掛ける取付形態、図８（ｂ）は壁面５２に埋め込む取付形態を示す。
【図９】空調機１を壁面５２に掛ける取付形態を示す斜視図である。
【図１０】空調機１を壁面５２に埋め込む取付形態を示す斜視図である。
【図１１】フロントパネル４および化粧パネル５の取付形態を示す要部断面図である。
【符号の説明】
【００８７】
１・・・空調機、２・・・空調ユニット、３・・・本体ケース、４・・・フロントパネル、４ａ・・・フィルタ、５・・・化粧パネル、５ａ・・・開口部、６・・・背面板、７・・・側面板、８・・・開口部、９・・・フランジ部、９ａ・・・取付穴、１０ａ，１０ｂ・・・ネジ、１１・・・シャーシ、１１ａ・・・本体取付穴、１１ｂ・・・フロントパネル取付部、１２・・・ネジ、１３・・・回路基板、１４・・・ファン部、１４ａ・・・ファンモータ、１５・・・ヒータ、１５ａ・・・第１のＰＴＣヒータ、１５ｂ・・・第２のＰＴＣヒータ、１６・・・ルーバー、１７・・・羽根車、１８・・・ファンケース、１８ａ・・・吸込口、１８ｂ・・・吹出口、１９ａ・・・第１の風路、１９ｂ・・・第２の風路、２０ａ・・・ハウジング、２０ｂ・・・吹出口、２０ｃ・・・風向板、２１ａ・・・開口部、２１ｂ・・・吸込口、２１ｃ・・・フィルタ取付部、２１ｄ・・・フロントパネル取付穴、２２・・・フランジ受け面、２２ａ・・・ネジ穴、２２ｂ・・・位置決め突起、２３・・・補強リブ、２４・・・イオン発生器、３１・・・制御部、３２・・・操作部、５１・・・洗面所、５２・・・壁面、５２ａ・・・開口部
【図１】
2006084165.tif 000003
【図２】
2006084165.tif 000004
【図３】
2006084165.tif 000005
【図４】
2006084165.tif 000006
【図５】
2006084165.tif 000007
【図６】
2006084165.tif 000008
【図７】
2006084165.tif 000009
【図８】
2006084165.tif 000010
【図９】
2006084165.tif 000011
【図１０】
2006084165.tif 000012
【図１１】
2006084165.tif 000013